(57)【特許請求の範囲】
【請求項１】
リング状部材と、リング状部材に取り付けられてバネ作用を発揮するほぼＣ型のＣ型捻りバネを備え、リング状部材の所定箇所にＣ型捻りバネの各先端を位置をずらして挟持することにより、リング状部材とＣ型捻りバネが所定角度で連結されていることを特徴とするリング状係止具。
【請求項２】
前記リング状部材の中央に軸部が設けられ、この軸部に前記Ｃ型捻りバネの各先端を挟持するための穴が複数形成されていることを特徴とする請求項１記載のリング状係止具。
【請求項３】
前記Ｃ型捻りバネを覆うと共に、少なくとも前記リング状部材の軸部と当接するカバー部材が取り付けられていることを特徴とする請求項２記載のリング状係止具。
【請求項４】
カーテンと連結されてカーテンを所定方向に移動させる紐、ロープやチェーン等の引き上げ操作用部材と、この引き上げ操作用部材を通過させるリング状係止具を備え、
リング状係止具は、リング状部材と、リング状部材に取り付けられてバネ作用を発揮するほぼＣ型のＣ型捻りバネを備え、リング状部材の所定箇所にＣ型捻りバネの各先端を位置をずらして挟持することにより、リング状部材とＣ型捻りバネが所定角度で連結されていることを特徴とするカーテン開閉装置。
【請求項５】
前記リング状部材の中央に軸部が設けられ、この軸部に前記Ｃ型捻りバネの各先端を挟持するための穴が複数形成されていることを特徴とする請求項４記載のカーテン開閉装置。
【請求項６】
前記Ｃ型捻りバネを覆うとともに、少なくとも前記リング状部材の軸部と当接するカバー部材が取り付けられていることを特徴とする請求項５記載のカーテン開閉装置。
【請求項７】
前記カーテンに横方向の桟が取り付けられ、この桟を介して前記カバー部材が取り付けられていることを特徴とする請求項６記載のカーテン開閉装置。
【発明の詳細な説明】
【技術分野】
【０００１】
本発明は、紐、ロープやチェーン等の引き上げ部材を使用してカーテンを昇降動させるカーテン開閉装置と、この装置等に使用されて好適なリング状係止具に関する。
【背景技術】
【０００２】
カーテンは、家屋の窓や開口部に配置されるが、劇場や工場等では大きなスクリーンや暗幕のようなカーテンで所定箇所を間仕切りするために使用されたりもする。このスクリーンのような大きなカーテンでは、テント生地や分割パネルが使用されるものもある。また、シャッターやブラインドも所定箇所を間仕切りしたりするために使用される。カーテンとしては、一般家庭用では左右開きのものが多いが、劇場や工場等では左右開きの他に、上下に昇降動作させるカーテンも使用されている。
【０００３】
カーテンは、紐等の引き上げ操作用部材を駆動させることでカーテンを開閉させるが、劇場や工場等で使用されるような大型のカーテン（或いはスクリーンや暗幕）では、その大きさが大きいことや使用する生地（例えばテント生地等）の重みから、ロープやチェーンを使用し、手動では対応できないので、これを電動で制御（昇降動）する。
【０００４】
上記紐、ロープやチェーン等の引き上げ操作用部材は、カーテンと所定間隔をおいて所定本数配置され、これら紐、ロープやチェーン等の引き上げ操作用部材を駆動させると、カーテンと接触したり、カーテンに巻き込まれたりして、カーテンの開閉の邪魔になったり、又、カーテンから離れすぎたりして、カーテンの開閉に余計な負荷がかかり過ぎたりすることがある。また、引き上げ操作用の部材が絡まる事態もある。そこで、このような事態を防止するものとしては、例えば、特許文献１や２のようにリング状部材を用いたものが開示されている。なお、特許文献１は、カーテンドアを持ち上げる装置と記載されているが（カーテンの昇降装置と実質同じと考えられる。）、リングの付いていない補強棒（水平な桟）の束が、不測の誤動作時に、車両または人間がこの補強棒の束に当たるとかその上に落ちるとかして重大な事故となることがある、と記載されている（第２ページの右欄の第１０行目から第１７行目）。
【特許文献１】特許第３０９９１２５号公報
【特許文献２】特開２００１−６１６４３号公報
【発明の開示】
【発明が解決しようとする課題】
【０００５】
しかしながら、特許文献１や２のリング状部材は、持ち上げストラップを通過させる案内リングと記載されるか、又は、吊紐にガイドリングを設けるとしか記載されておらず（単なるリング状の部材であると考えられる。）、これでは姿勢が安定化せず、斜めや下方に垂れ下がる事態を生じさせる。また、チェーンのような引き上げ操作用部材を使用して大型のスクリーンを引き上げる場合には、ロープやチェーンの表面の凹凸がリング状部材と絡まり、チェーンが絡まったまま引き上げられる事態も生じさせていた。他方、上方に巻き上げたカーテンを降下させるときにも、リング状部材と上記ロープやチェーンとの接離がスムーズに行われず、これらが絡まったままで降下してしまう問題を有していた。
【０００６】
さらに、カーテンに補強用の桟が所定間隔で配置されているようなカーテンでは、リング状の部材の姿勢が水平な状態で突出していないと、カーテンを巻き上げるときにリング状の部材を巻き込んでしまう事態や、所定間隔でカーテンを折畳むような昇降装置では、カーテンの折畳みの際に紐、ロープやチェーン等の引き上げ部材を巻き込んでしまう事態を生じていた。
【０００７】
そこで、本発明の目的は、紐、ロープやチェーン等の引き上げ部材をカーテンから所定間隔をおいて配置させるために常にカーテンと水平な位置に突出ように配することが可能なカーテン開閉装置と、このカーテン開閉装置等に適用して好適なリング状係止具を提供することにある。
【課題を解決するための手段】
【０００８】
本発明の請求項１記載のリング状係止具は、リング状部材と、リング状部材に取り付けられてバネ作用を発揮するほぼＣ型のＣ型捻りバネを備え、リング状部材の所定箇所にＣ型捻りバネの各先端を位置をずらして挟持することにより、リング状部材とＣ型捻りバネが所定角度で連結されていることを特徴とする。このリング状係止具は、カーテンと連結されてカーテンを所定方向に移動させる紐、ロープやチェーン等の引き上げ操作用部材を備えたカーテン開閉装置において、この引き上げ操作用部材を通過させるものとして取り付けられることを特徴とする（請求項４）。具体的には、Ｃ型捻りバネをカーテンに取り付けて、リング状部材がＣ型捻りバネやカーテンに対して水平な姿勢になるように取り付ける。
この発明によれば、リング状部材とＣ型捻りバネが所定角度で連結されるので、例えば、カーテンと水平な姿勢の状態ですべてのリング状係止具を配置すると、紐、ロープやチェーン等の引き上げ操作用部材がカーテンから離れすぎたり近づきすぎたりせずカーテンに沿って均一な距離で配置される。
【０００９】
本発明としては、前記リング状部材の中央に軸部が設けられ、この軸部に前記Ｃ型捻りバネの各先端を挟持するための穴が複数形成されていることが好ましい。本発明によれば、これら穴の位置を変更させることで、Ｃ型捻りバネに対するリング状部材の取付け姿勢を所定角度に変更することができる。
【００１０】
本発明としては、前記Ｃ型捻りバネを覆うとともに、少なくとも前記リング状部材の軸部と当接するカバー部材が取り付けられていることが好ましい。カバー部材としては、厚手の生地や合成樹脂等の板状部材が使用可能である。
本発明によれば、Ｃ型捻りバネの面積をより広いものを使用でき、Ｃ型捻りバネの各先端が位置をずらしてリング状部材を挟持するが、この位置をずらした場合の平行度を位置をずらさない丁度揃った（平行度がある）カバーとして使用できるようになる。また、カバー部材は、軸部がバネ作用を発揮する支点となるほか、ほぼＵ字状のカバー部材の一方の面に接触すると、バネ作用を発揮する支点となり、バネ作用を強く発揮させる状態になる。また、前記軸部に対するカバー部材の接触によりバネ作用の行き過ぎを規制する規制部材としての役割や、Ｃ型捻りバネに対するリング状部材の取付け姿勢を所定角度以上に大きくなることを防止する役割や、リング状部材と直接接触しないようにする役割等も果たすようになる。
【００１１】
本発明としては、前記カーテンに横方向の桟が取り付けられ、この桟を介して前記カバー部材が取り付けられていることを特徴とする。
本発明によれば、桟を介して前記カバー部材が取り付けられていることで、リング状係止具がカーテンと所定角度を持って確実に支持されることとなる。
【発明の効果】
【００１２】
本発明によれば、リング状部材とＣ型捻りバネが所定角度で連結されるので、例えば、カーテンと水平な姿勢の状態ですべてのリング状係止具を配置すると、紐、ロープやチェーン等の引き上げ操作用部材がカーテンから離れすぎたり近づきすぎたりせずカーテンに沿って均一な距離で配置される。したがって、カーテンを開閉動作するときに、引き上げ操作用部材をカーテンに巻き込んだり、リング状係止具をカーテンに巻き込んだりすることが防止される。また、チェーンが絡まった状態で引き上げられても、Ｃ型捻りバネの付勢力やリング状部材の軸部とカバー部材との接触による規制により、チェーンの絡んだ状態を解除する等も可能になる。
【発明を実施するための最良の形態】
【００１３】
以下、本発明を実施するための最良の形態を図面にもとづいて説明する。
【００１４】
図１は、本発明の一実施の形態であるカーテン開閉装置の使用例を示す図であり、図２は、カーテン開閉装置を示す断面図である。本発明に係る実施の形態は、工場のスペースを所定範囲に間仕切りするためのカーテン（或いはスクリーン）２として使用されるカーテン開閉装置１であり、このカーテン開閉装置１のカーテン２は、天井ｔから吊り下げられるように配置され、下方の固定壁ｋの上方端まで垂れ下がる。固定壁ｋの上面には、凹状の溝ｋｕが形成され、この凹状の溝ｋｕにカーテン２の下方端が取り付けられるパイプ９が入り込む。
【００１５】
カーテン開閉装置１は、カーテン２と、カーテン２を昇降動させるためのチェーン４と、チェーン４を昇降動させるためのホイール（駆動軸）５と、ホイール５を駆動させる駆動手段と、カーテン２と連結されてカーテン２を所定方向に移動させる紐、ロープやチェーン等の引き上げ操作用部材４を備える。駆動手段としては手動でも良いが、本実施の形態では電気モータが使用されている。ホイール５は、天井ｔに取り付けられるアングル６に取り付けられている。アングル６には、引き上げられるチェーン４を収納する収納部７が設けられている。
【００１６】
カーテン２は、テント生地が使用され、所定間隔をおいて横方向の桟３が取り付けられている。カーテン２の下端は、下方のパイプ９に取り付けられ、他方の上端は、ロープ１２を介して上記アングル６に取り付けられている。ロープ１２は、カーテン２を折り重ねた所定枚数に形成される穴にハトメを介して通されている。なお、カーテン２の上端は、ロープ１２を使用せずに、上方のパイプ８と直接連結させるようにしても良い。また、カーテン２には、所定箇所で折畳まれるように折畳み線１０ａが施されるとともに、この折畳み線１０ａに沿っての折り畳みを行い易くするための錘１０ｂが折畳み線１０ａの位置に取り付けられている（図１（ａ）、図１０）。カーテン２には、所定間隔をおいて桟３が取り付けられている。この桟３は、カーテン生地を外周に巻き回すようにして、チェーン４の側に突出するように取り付けられている。桟３と桟３との間に、一本の折畳み線１０ａがその中央に位置する。
【００１７】
引き上げ操作用部材４であるチェーン４は、その一方の上端がアングル６に取り付けられ、ホイール５に巻き回され、他方の下端が下方のパイプ９と連結されている。したがって、チェーン４をホイール５を介して巻き上げると、カーテン２の下方を上方に引き上げる。引き上げられたチェーン４は、収納部７に収納される。また、チェーン４は、カーテン２とリング状係止具Ｒにより連結されている。本実施の形態のチェーン２は、リング状（Ｏ状）のものを多数連結した最もシンプルなものであるが、これに限らず種々のチェーンが使用可能である。引き上げ操作用部材４としては、チェーン４に限らず、紐やロープ等を使用することも可能である。引き上げ操作用部材４は、カーテン２の大きさや重量が重くなると、それに応じた多数本が必要になる。
【００１８】
図３は、リング状係止具Ｒのリング状部材ｒ１を示す平面図であり、図４は、リング状部材ｒ１の他の例を示す図であり、図５は、リング状係止具ＲのＣ型捻りバネｒ２を示す図である。図６は、リング状部材ｒ１にＣ型捻りバネｒ２を取り付けた状態を示す斜視図である。
リング状係止具Ｒは、リング状部材ｒ１と、バネ作用を発揮するほぼＣ型のＣ型捻りバネｒ２から構成されている。本実施の形態のリング状部材ｒ１は、ほぼ半円形状を呈して、その中央に取り付けられる軸部ｒｊを備え、軸部ｒｊには、その外周に穴ｒａ１，ｒａ２が形成されている（図３、図６）。この穴ｒａ１，ｒａ２は、Ｃ型捻りバネｒ２のほぼＣ型状の先端ｒ２ａ，ｒ２ｂを掛止するもので、位置をずらして挟持するために、一方側の穴ｒａ１と他方側の穴ｒａ２が向き合うようにして形成されているが、同じ位置には形成されていない。なお、これらの穴ｒａ１，ｒａ２は、位置をずらして挟持することができれば良く、複数形成されたもので（同じ位置に形成されていても）、位置をずらして挟持するように使用しても良い。リング状係止具Ｒとしては、本実施の形態のようにＣ字状であっても、リングやその他の形状であっても良い。
【００１９】
Ｃ型捻りバネｒ２は、バネ作用のある線材（高硬度の線材）であり、ここではピアノ線材を熱処理した後、冷間加工した線材が使用されている。このＣ型捻りバネｒ２である先端ｒ２ａ，ｒ２ｂをリング状部材ｒ１の軸部ｒｊに位置をずらして挟持すると、Ｃ型捻りバネｒ２はリング状部材ｒ１に対してバネ作用を発揮する。すなわち、Ｃ型捻りバネｒ２の各先端ｒ２ａ，ｒ２ｂを位置をずらして挟持すると、各先端ｒ２ａ，ｒ２ｂは同じ位置に戻ろうとするがためにバネ作用を発揮する。これによりＣ型捻りバネｒ２に対するリング状部材ｒ１の取付け姿勢を所定角度で連結されていることとなる。図４は、リング状部材ｒ１の他の例であり、複数の穴ｒａ１，ｒａ２が形成されている。したがって、Ｃ型捻りバネｒ２の各先端ｒ２ａ，ｒ２ｂを入れ替えると、バネ作用の付勢力を調整することができ、これにより、Ｃ型捻りバネに対するリング状部材ｒ１の取付け姿勢を所定角度が変更可能である。Ｃ型捻りバネｒ２は、そのＣ型の中央空間ｒ３にネジｒｎを通過させてカーテン２に取り付ける（図７）。本実施の形態では、Ｃ型捻りバネｒ２にカバー部材ｒ３を取り付けた状態でカーテン２の桟３を介して取り付けるが、カーテン２に直接取り付けることも可能である。カーテン２に直接取り付けるときのＣ型捻りバネｒ２に対するリング状部材の取付け姿勢を一定（水平姿勢が好ましい。）にすることは難しいが、上記複数の穴ｒａ１，ｒａ２に対するＣ型捻りバネｒ２の各先端ｒ２ａ，ｒ２ｂを入れ替えることにより、水平姿勢やその他の所定角度に調整可能である。
【００２０】
カバー部材ｒ３は、Ｃ型捻りバネｒ２を広い面積があるものとして使用できる役割や、位置をずらして挟持されるＣ型捻りバネｒ２の平行度の均衡を保つ等の働きをするものであり、Ｕ字状に折り曲げられて、ネジｒｎを通過させる穴が設けられている。そして、Ｃ型の中央空間ｒ３にネジｒｎを通過させるとともに、ほぼＵ字状の左右の側面部を貫通させるようにしてネジ止めされる。また、Ｕ字状に折り曲げられて、リング状部材ｒ１の軸部ｒｊとの連結箇所ｒｔをＵ字状に引っ掛ける。本実施の形態のカバー部材ｒ３は、厚手の生地（テント生地でもよい）や合成樹脂等の板状部材が使用可能である。厚手の生地よりも合成樹脂等の板状部材で挟持すると、軸部ｒｊとの接触したときの支点としての作用が強く発揮させる。このカバー部材ｒ３は、リング状部材ｒ１をカーテン２や桟３に取り付ける役割のほかに、前記軸部ｒｊとの接触によりバネ作用の行き過ぎを規制する規制部材として作用させたり（図７参照）、通過されるチェーン４がリング状部材ｒ１と直接接触する事態を防止し（金属音を発生しないように）、さらに、リング状係止具Ｒのカーテン４に対する平行度を高める等の種々の役割を発揮する。
【００２１】
したがって、本実施の形態のカーテン開閉装置１により実際にカーテン２を昇降動作させるときは、図２に示すように、ホイール５を駆動手段で駆動させると、ホイール５の歯にチェーン４の隙間が挟み込まれた状態で巻き上げられ、これにより下方のパイプ９を介してカーテン２の下方側が引き上げられる。カーテン２の下方側が引き上げられると、カーテン２は、その折畳み線１０ａに沿って折畳まれるようになる。すなわち、カーテン２の下方側が引き上げられると、図１０に示すように、折畳み線１０ａの位置の錘１０ｂがその加重をかけるので、カーテン２の下方から順にカーテン２は折畳まれて引き上げられる。この折畳み線１０ａによる折畳みの際に、リング状係止具Ｒが水平姿勢を維持していないと、このリング状係止具Ｒやチェーン４を巻き込むおそれがあるが、本実施の形態のリング状係止具Ｒのリング状部材ｒ１はカーテン２と水平な姿勢の状態で取り付けられているので、チェーン４がカーテン２から離れすぎたり近づきすぎたりせずカーテンに沿って均一な距離で配置され、チェーン４を巻き込むような事態を防止できる。
【００２２】
本実施の形態では、カーテン２に所定間隔をおいて桟３が取り付けられ、リング状係止具Ｒは、桟３を介して取り付けられる。具体的には、カバー部材ｒ３を固定するためのネジｒｎを桟３が巻かれるカーテン生地を通過させて取り付けられている。すなわち、桟３は、カーテン生地に巻かれるように取り付けられ、その後ろ側をネジｒｎを通過させて、つまりＵ字状のカバー部材ｒ３の空間部に桟３が通されている（図６〜図１０参照）。このとき、Ｃ型捻りバネｒ２の付勢力に影響を与えないように、Ｃ型捻りバネｒ２と桟３とが接触しないように取り付けることが好ましい。したがって、カーテン２に直接リング状係止具Ｒを取り付けるよりも、カーテン２に対してリング状係止具Ｒがその取付姿勢（水平姿勢）を維持することが容易になっている。
【００２３】
ここで、チェーン２を巻き上げるに際しては、図８に示すように、チェーン４を絡めるようにして引き上げられることがある。しかし、本実施の形態のリング状係止具Ｒがカーテン２に対して水平姿勢で取り付けられ、チェーン４を巻き上げるときにチェーン４が絡んでも、リング状部材ｒ１の軸部ｒｊがカバー部材ｒ３と接触して、一定以上の角度にはリング状部材ｒ１が変化することがないので（カーテン２のような垂直姿勢にならず、ほぼ水平と変らない状態になる）ので、これによってもチェーン４の巻き上げの際に生じる巻き込みを防止することとなる。また、図８におけるリング状係止具Ｒの取り付け姿勢を逆にして取り付けることも可能であり、この場合は、Ｃ型捻りバネｒ２がリング状部材ｒ１を下方に押し下げようとするので、これによってもチェーン４を絡めるようにして引き上げられる事態を防止することできる。なお、チェーン４を上方に巻き上げたときにも、Ｃ型捻りバネｒ２の付勢力が働いているので、リング状係止具Ｒ同士がぎちぎちに閉め付けられようになり、チェーン４の連結部に重なり合って（めり込むようになる）、抜けなくなる事態をバネの付勢力でこれを防止する。
【００２４】
他方、折畳まれるように巻き上げられたカーテン２を降下させるときには、図９に示すように、Ｃ型捻りバネｒ２であるバネｒ２の付勢力により、リング状係止具Ｒ同士の重なり合いをスムーズに解除することとなる。すなわち、折畳まれるように巻き上げられたカーテン２において、リング状係止具Ｒは、そのバネｒ２の付勢力に抗して重ね合わされるので、カーテン２の下方をチェーン４により降下させるとき、上方のリング状係止具Ｒが下方のリング状係止具Ｒを下方に押し下げようとするバネｒ２の付勢力が働き（図９の符号Ｆ参照）、その重なり合いの解除や、チェーン４の距離を一定に保つような作用を発揮することとなる。
【００２５】
以上、本実施の形態では、リング状係止具Ｒにカバー部材ｒ３が取り付けられたもので説明したが、カバー部材ｒ３は必ずしも必要ではなく、リング状部材とＣ型捻りバネからなるリング状係止具Ｒとして使用することも可能である。また、本実施の形態では、巻き上げ式のカーテンの昇降装置について説明したが、左右両開きや左右の片側開きのカーテンの開閉にも適用可能である。そして、これらに使用されるリング状係止具Ｒは、本実施の形態のカーテン開閉装置１や左右開きのカーテン開閉装置に限らず、例えば、ブラインドやシャッター等の開閉時に使用される紐等の引き上げ操作用部材等にも使用可能である等、その使用範囲の拡大の可能性が期待されるものである。
【図面の簡単な説明】
【００２６】
【図１】本発明の一実施の形態であるカーテン開閉装置の使用例を示す図であり、（ａ）が正面図であり、（ｂ）が側面図である。
【図２】上記一実施の形態のカーテン開閉装置を示す断面図である。
【図３】上記一実施の形態のリング状係止具のリング状部材を示す平面図である。
【図４】上記リング状部材の他の例を示す平面図である。
【図５】上記第１の実施の形態のリング状係止具のＣ型捻りバネを示す図であり、（ａ）がその平面図であり、（ｂ）がその側面図である。
【図６】上記リング状部材にＣ型捻りバネを取り付けた状態を示す斜視図である。
【図７】上記リング状掛止具にカバー部材を取り付けた状態を示す斜視図である。
【図８】上記一実施の形態のリング状係止具の作用を説明する斜視図である。
【図９】上記一実施の形態のリング状係止具の作用を説明する側面図である。
【図１０】上記一実施の形態のカーテン開閉装置のカーテンを折畳む状態を説明する断面図である。
【符号の説明】
【００２７】
１    カーテン開閉装置、
２    カーテン、
３    桟、
４    チェーン（引き上げ操作用部材４）、
５    ホイール、
８，９  パイプ、
１０ａ  折畳み線、１０ｂ  錘、
Ｒ    リング状係止具、
ｒ１  リング状部材、ｒｊ  軸部、
ｒ２  Ｃ型捻りバネ、
ｒ３  カバー部材、
【図１】
0004890501.tif 000002
【図２】
0004890501.tif 000003
【図３】
0004890501.tif 000004
【図４】
0004890501.tif 000005
【図５】
0004890501.tif 000006
【図６】
0004890501.tif 000007
【図７】
0004890501.tif 000008
【図８】
0004890501.tif 000009
【図９】
0004890501.tif 000010
【図１０】
0004890501.tif 000011